(57)【要約】  【課題】  傾動ディスプレイ用パネルとディスプレイとの隙間を狭くするという意匠上の要求を満たすとともに、指の挟み込みを軽減ないし防止することのできる傾動ディスプレイ用パネルを提供する。  【解決手段】  ディスプレイ４１は、センターパネル３の面に沿う正立姿勢と、下辺が手前に繰り出すとともに、下辺と対向する上辺が正立姿勢における下辺に向かう方向に移動するように傾倒した傾倒姿勢との間で駆動する。センターパネル３は、ディスプレイ４１の表示面を露出する開口３１を有する。上側のパネル縁部３２の裏面が、傾倒姿勢から正立姿勢に駆動されるディスプレイ４１の上側のディスプレイ縁部４１２に押される指Ｆを隙間Ａの外に導くように曲面形状に形成されている。【選択図】  図１
2013129216.tif 000002
【特許請求の範囲】
【請求項１】
傾動ディスプレイ用パネルであって、
表示面が前記傾動ディスプレイ用パネルの面に沿う正立姿勢と、第１の辺が手前に繰り出すとともに、前記第１の辺と対向する第２の辺が前記正立姿勢における前記第１の辺に向かう方向に移動するように傾倒した傾倒姿勢との間で駆動される傾動ディスプレイの前記表示面を露出する開口を有し、
前記開口は、前記傾動ディスプレイ用パネルのパネル縁部によって形成され、
少なくとも前記第２の辺に対応する前記パネル縁部は、前記傾動ディスプレイの前記第２の辺に対応する、前記開口の内部空間を形成する面よりも前記開口の内側に向けて張り出しており、
前記第２の辺に対応する前記パネル縁部の裏面が、前記傾倒姿勢から前記正立姿勢に向かう方向に駆動する前記傾動ディスプレイの前記第２の辺に対応するディスプレイ縁部に押される物体を、前記第２の辺に対応する前記パネル縁部と前記第２の辺に対応する前記ディスプレイ縁部との間の隙間の外に導く形状に形成されている
ことを特徴とする傾動ディスプレイ用パネル。
【請求項２】
前記正立姿勢にある前記傾動ディスプレイの前記第２の辺に垂直な断面において、前記傾動ディスプレイの前記第２の辺に対応する前記パネル縁部の裏面の任意の点の接線方向と、前記傾動ディスプレイの前記第２の辺に対応する、前記開口の内部空間を形成する面とは、鈍角をなすことを特徴とする請求項１に記載の傾動ディスプレイ用パネル。
【請求項３】
傾動ディスプレイと、前記傾動ディスプレイを露出する開口を有するパネルとを備えたパネル付カーナビゲーション装置であって、
前記傾動ディスプレイは、パネルの面に沿う正立姿勢と、第１の辺が手前に繰り出すとともに、前記第１の辺と対向する第２の辺が前記正立姿勢における前記第１の辺に向かう方向に移動するように傾倒した傾倒姿勢との間で駆動され、
前記開口は、前記パネルのパネル縁部によって形成され、
少なくとも前記第２の辺に対応する前記パネル縁部は、前記傾動ディスプレイの前記第２の辺に対応する、前記開口の内部空間を形成する面よりも前記開口の内側に向けて張り出しており、
前記第２の辺に対応する前記パネル縁部の裏面が、前記傾倒姿勢から前記正立姿勢に向かう方向に駆動する前記傾動ディスプレイの前記第２の辺に対応するディスプレイ縁部に押される物体を、前記第２の辺に対応する前記パネル縁部と前記第２の辺に対応する前記ディスプレイ縁部との間の隙間の外に導く形状に形成されている
ことを特徴とするパネル付カーナビゲーション装置。
【請求項４】
前記正立姿勢にある前記傾動ディスプレイの前記第２の辺に垂直な断面において、前記傾動ディスプレイの前記第２の辺に対応する前記パネル縁部の裏面の任意の点の接線方向と、前記傾動ディスプレイの前記第２の辺に対応する、前記開口の内部空間を形成する面とは、鈍角をなすことを特徴とする請求項３に記載のパネル付カーナビゲーション装置。
【発明の詳細な説明】
【技術分野】
【０００１】
本発明は、傾動ディスプレイ用パネル及びパネル付カーナビゲーション装置に関し、特に、正立姿勢と傾倒姿勢との間で駆動される傾動ディスプレイ用のパネル及びそのようなパネルと傾動ディスプレイを備えたパネル付カーナビゲーション装置に関する。
【背景技術】
【０００２】
従来、車両のセンターパネルに埋め込まれるようにして車両に取り付けられるカーナビゲーション装置が知られている。このようなカーナビゲーション装置のディスプレイは、センターパネルに設けられた開口から車内の居住空間に露出する。
【０００３】
このようなカーナビゲーション装置には、ディスプレイの裏側にメディアのスロット等が設けられ、ディスプレイを、センターパネルの面に沿う正立姿勢から、下辺が手前に繰り出すとともに、上辺がほぼ垂直下向きに移動するように傾動する傾動機構を設けることで、ディスプレイの裏側のスロット等を車内の居住空間に露出するよう構成されたものがある。
【０００４】
一方、センターパネルとカーナビゲーション装置のディスプレイとの位置関係については、意匠性を向上させるという観点から、センターパネルとディスプレイとの間の隙間を可及的に小さくしたいという要望がある。従来は、センターパネルの縁部を開口の内側に向けて張り出して形成することで、隙間を狭くするという要望に応えている（例えば、特許文献１）。
【０００５】
図４は、従来のセンターパネルに取り付けられたカーナビゲーション装置の断面図である。図４に示すように、センターパネル２では、ディスプレイ１１を露出する開口２１を形成するパネル縁部２２が、カーナビゲーション装置１のディスプレイ１１の上側のディスプレイ縁部１１１との間の隙間Ａを狭くするように開口２１の内側に向かって出っ張った庇形状に形成されている。この構成により、センターパネル２のパネル縁部２２とディスプレイ１１の上側のディスプレイ縁部１１１との間の隙間Ａを小さくすることができる。
【０００６】
しかしながら、センターパネル２のディスプレイ縁部２２とディスプレイ１１の上側のディスプレイ縁部１１１との間の隙間Ａが小さくなると、ディスプレイ１１の上側のディスプレイ縁部１１１が略垂直下向きに移動した傾倒姿勢から図４に示す正立姿勢に戻る際に、ディスプレイ縁部２２の裏面とディスプレイ１１の上側のディスプレイ縁部１１１との間の隙間において、指が挟まれてしまう危険性がある。
【０００７】
このような指の挟み込みに対する対策として、ディスプレイを傾倒姿勢と正立姿勢との間で駆動する駆動機構に、ソフトセンサを設けて、センターパネルのディスプレイ縁部２２とディスプレイ１１の上側のディスプレイ縁部１１１との間に指が挟まって、傾倒姿勢から正立姿勢に戻るディスプレイの駆動が妨げられた場合に、その挟まれた指によるディスプレイへの反力を感知して、ディスプレイの傾倒姿勢から正立姿勢への駆動を停止するようにしている。
【先行技術文献】
【特許文献】
【０００８】
【特許文献１】特開２０１０−１００２１８号公報
【発明の概要】
【発明が解決しようとする課題】
【０００９】
しかしながら、上記の従来技術では、駆動を停止するためのディスプレイが受ける反力の閾値をあまりに小さくすると駆動中にディスプレイに何らかの力が作用した場合に、容易にディスプレイの駆動が停止してしまい、煩わしくなる。
【００１０】
また、上記の駆動機構の場合には、指が挟まれてはじめて駆動が停止されるので、駆動を停止するための反力の閾値が大きいと、特に指先だけが挟まれる場合には、指の小さな面積で反力を与えることとなり、痛みが大きくなり、負傷することもある。例えば、駆動を停止するための反力の閾値を３ｋｇとすると、指先のわずかな面積に３ｋｇの荷重がかかるまで、傾倒姿勢から正立姿勢に戻るディスプレイの駆動は停止されないことになる。
【００１１】
本発明は、上記の課題に鑑みてなされたものであり、傾動ディスプレイ用パネルとディスプレイとの隙間を狭くするという意匠上の要求を満たすとともに、指の挟み込みを軽減ないし防止することのできる傾動ディスプレイ用パネルを提供することを目的とする。
【課題を解決するための手段】
【００１２】
上記の課題を解決するために、本発明の傾動ディスプレイ用パネルは、表示面が前記傾動ディスプレイ用パネルの面に沿う正立姿勢と、第１の辺が手前に繰り出すとともに、前記第１の辺と対向する第２の辺が前記正立姿勢における前記第１の辺に向かう方向に移動するように傾倒した傾倒姿勢との間で駆動される傾動ディスプレイの前記表示面を露出する開口を有し、前記開口は、前記傾動ディスプレイ用パネルのパネル縁部によって形成され、少なくとも前記第２の辺に対応する前記パネル縁部は、前記傾動ディスプレイの前記第２の辺に対応する、前記開口の内部空間を形成する面よりも前記開口の内側に向けて張り出しており、前記第２の辺に対応する前記パネル縁部の裏面が、前記傾倒姿勢から前記正立姿勢に向かう方向に駆動する前記傾動ディスプレイの前記第２の辺に対応するディスプレイ縁部に押される物体を前記第１の辺に向かう方向に導く形状に形成されているという構成を有している。
【００１３】
この構成により、ディスプレイが傾倒姿勢から正立姿勢に向かって駆動されて、第２の辺に対応するパネル縁部とそれに対応するディスプレイ縁部との間の隙間が狭くなると、その隙間にある物体（例えば指）は、ディスプレイ縁部の裏面を滑って、その隙間から押し出されるので、正立姿勢において第２の辺に対応するパネル縁部とそれに対応するディスプレイ縁部との間の隙間が狭くなるように傾動ディスプレイ用パネルが設計されていたとしても、その隙間に物体が挟まれることを軽減ないし防止できる。
【００１４】
また、上記の傾動ディスプレイ用パネルにおいて、前記正立姿勢にある前記傾動ディスプレイの前記第２の辺に垂直な断面において、前記傾動ディスプレイの前記第２の辺に対応する前記パネル縁部の裏面の任意の点の接線方向と、前記傾動ディスプレイの前記第２の辺に対応する、前記開口の内部空間を形成する面とは、鈍角をなしていてよい。
【００１５】
この構成により、傾動ディスプレイの第２の辺とそれに対応する傾動ディスプレイ用パネルのパネル縁部との間の隙間の物体をより好適にその隙間の外側に押し出すことができる。
【００１６】
また、本発明の別の態様は、傾動ディスプレイと、前記傾動ディスプレイを露出する開口を有するパネルとを備えたパネル付カーナビゲーション装置であって、前記傾動ディスプレイは、パネルの面に沿う正立姿勢と、第１の辺が手前に繰り出すとともに、前記第１の辺と対向する第２の辺が前記正立姿勢における前記第１の辺に向かう方向に移動するように傾倒した傾倒姿勢との間で駆動され、前記開口は、前記パネルのパネル縁部によって形成され、少なくとも前記第２の辺に対応する前記パネル縁部は、前記傾動ディスプレイの前記第２の辺に対応する、前記開口の内部空間を形成する面よりも前記開口の内側に向けて張り出しており、前記第２の辺に対応する前記パネル縁部の裏面が、前記傾倒姿勢から前記正立姿勢に向かう方向に駆動する前記傾動ディスプレイの前記第２の辺に対応するディスプレイ縁部に押される物体を、前記第２の辺に対応する前記パネル縁部と前記第２の辺に対応する前記ディスプレイ縁部との間の隙間の外に導く形状に形成されているという構成を有している。
【００１７】
この構成によっても、ディスプレイが傾倒姿勢から正立姿勢に向かって駆動されて、第２の辺に対応するパネル縁部とそれに対応するディスプレイ縁部との間の隙間が狭くなると、その隙間にある物体（例えば指）は、連続した曲線で構成されたディスプレイ縁部の裏面を滑って、その隙間から押し出されるので、正立姿勢において第２の辺に対応するパネル縁部とそれに対応するディスプレイ縁部との間の隙間が狭くなるようにパネル及びカーナビゲーション装置が設計されていたとしても、その隙間に物体が挟まれることを軽減ないし防止できる。
【００１８】
また、上記のパネル付カーナビゲーション装置において、前記正立姿勢にある前記傾動ディスプレイの前記第２の辺に垂直な断面において、前記傾動ディスプレイの前記第２の辺に対応する前記パネル縁部の裏面の任意の点の接線方向と、前記傾動ディスプレイの前記第２の辺に対応する、前記開口の内部空間を形成する面とは、鈍角をなしてよい。
【００１９】
この構成によっても、傾動ディスプレイの第２の辺とそれに対応するパネル縁部との間の隙間の物体をより好適にその隙間の外側に押し出すことができる。
【発明の効果】
【００２０】
本発明は、パネル縁部とそれに対応するディスプレイ縁部との間の隙間にある物体は、ディスプレイの駆動によって、ディスプレイ縁部の裏面を滑って、その隙間から押し出されるので、パネル縁部とそれに対応するディスプレイ縁部との間の隙間に物体が挟まれることを軽減ないし防止できる。
【図面の簡単な説明】
【００２１】
【図１】本発明の実施の形態のディスプレイが正立姿勢になる直前の状態を示す図２のＸ−Ｘ断面図
【図２】本発明の実施の形態の傾動ディスプレイ用パネルにディスプレイを有するカーナビゲーション装置が嵌め込まれた状態を示す外観図
【図３】本発明の実施の形態のディスプレイが完全に正立姿勢となった状態を示す図２のＸ−Ｘ断面図
【図４】従来の傾動ディスプレイ用パネルにディスプレイがはめ込まれた状態（正立姿勢）を示す断面図
【発明を実施するための形態】
【００２２】
以下、本発明の実施の形態の傾動ディスプレイ用パネルを説明する。図２は、本発明の実施の形態の傾動ディスプレイ用パネルにディスプレイを有するカーナビゲーション装置がはめ込まれた状態を示す外観図である。本実施の形態の傾動ディスプレイ用パネルは、自動車のセンターパネルであり、このセンターパネル３の内部にカーナビゲーション装置４が取り付けられる。
【００２３】
カーナビゲーション装置４の前面にはディスプレイ４１が設けられる。センターパネル３は、その内部に取り付けられたカーナビゲーション装置４のディスィスプレイ４１の表示面を車内の居住空間に露出するための開口３１を有する。ディスプレイ４１は、長方形の表示面を有し、開口３１は、パネル縁部（エッジ部）３２によって、ディスプレイ４１の表示面とほぼ同形状に形成されている。即ち、パネル縁部３２は、開口３１を画するセンターパネル３の縁部である。
【００２４】
カーナビゲーション装置４には、ディスプレイ４１の裏側にメディアのスロット等が設けられる。また、カーナビゲーション装置４には、ディスプレイ４１を、正立姿勢と傾倒姿勢との間で傾動する傾動機構が設けられる。本実施の形態において、正立姿勢とは、ディスプレイ４１の表示面がセンターパネル３の表面に沿う姿勢であり、傾倒姿勢とは、ディスプレイ４１の下辺が手前に繰り出すとともに、上辺がほぼ垂直下向き（正立姿勢にあるディスプレイ４１の表示面に平行な方向）に移動するように傾倒した姿勢をいう。ディスプレイ４１が傾動することで、ディスプレイ４１の裏側のスロット等が車内の居住空間に露出し、ユーザは、スロットに対するメディアの出し入れ等の操作を行うことができる。
【００２５】
このようなディスプレイ４１の傾動動作を実現するために、ディスプレイ４１の裏面下方には、繰り出しアームが取り付けられている。ディスプレイ４１の裏面又は側面の上方には、正立姿勢のディスプレイ４１の表示面に沿う方向に上下に移動するためのスライダ（不図示）が設けられており、カーナビゲーション装置４の対応する箇所にはスライダを正立姿勢のディスプレイ４１の表示面に沿う方向に上下に移動させる案内溝が形成されている。
【００２６】
繰り出しアームが居住空間側に繰り出すと、ディスプレイ４１の下方がドライバの手前に移動するとともに、ディスプレイ４１の上方のスライダが案内溝に沿って下方に移動してディスプレイ４１の表示面が上方向を向くように傾動する。
【００２７】
繰り出しアームの駆動機構は、ユーザの操作等に基づいて、カーナビゲーション装置４の内部に設けられたモータにより、カーナビゲーション装置４から出る方向及びカーナビゲーション装置４に入る方向に、繰り出しアームを駆動する。ディスプレイ４１が傾倒姿勢にある状態で、繰り出しアームがカーナビゲーション装置４に入る方向に駆動されると、ディスプレイ４１の上方のスライダが案内溝に沿って上方に移動して、ディスプレイ４１が正立姿勢になる。
【００２８】
センターパネル３とカーナビゲーション装置４のディスプレイ４１とは、意匠性を向上させるという観点から、センターパネル３のパネル縁部３２とディスプレイ４１の上辺４１１との間の隙間Ａが可及的に小さくなるように設計される。このために、少なくとも上側のパネル縁部３２は、開口３１の内部空間を形成する上面（ディスプレイ４１の上辺に対応する面）よりも開口３１の内側に向けて張り出している。
【００２９】
このような隙間Ａに指が挟み込まれることを防止する対策として、本実施の形態のセンターパネル３では、後述するように、その形状を工夫することで、機械的に指に挟み込みを防止している。しかしながら、万全を期すために、繰り出しアームの駆動機構は、さらに、従来と同様のソフトセンサによる指の挟みこみ防止の措置も講じている。すなわち、繰り出しアームの駆動機構は、ソフトセンサを有し、傾倒姿勢から正立姿勢に戻るディスプレイ４１（直接的には繰り出しアーム）の駆動が妨げられた場合に、その反力を感知して、繰り出しアームの駆動を停止する機能を有している。
【００３０】
以下、本発明の実施の形態のセンターパネル３において、指の挟み込みを機械的に防止するための構成を説明する。図１は、図２のＸ−Ｘ断面図であり、ディスプレイ４１が正立姿勢となる直前の状態を示している。図１に示すように、センターパネル３は、ディスプレイ４１の上辺４１１に対応する上側のパネル縁部３２の裏面が、傾倒姿勢から正立姿勢に向けて駆動されるディスプレイ４１の上辺４１１に対応する上側のディスプレイ縁部４１２に押される物体を、隙間Ａの外に導く形状に形成されている。
【００３１】
即ち、センターパネル３の開口３１を形成する上側のパネル縁部３２は、カーナビゲーション装置４を収容する空間を構成する内部上面３３よりも下側（即ちディスプレイ４１側）に延長されており、これによって、ディスプレイ４１が正立姿勢となったときに、開口３１を形成する上側のパネル縁部３２とディスプレイ４１の上辺４１１との間の隙間Ａを狭くして、意匠性を高めているが、図１に示す断面において、この上側のパネル縁部３２の裏面の任意の点の接線方向と、内部上面３３とは鈍角をなしている。そして、この上側のパネル縁部３２の裏面は、内部上面３３から連続した曲面となっている。図１に示す断面図では、パネル縁部３２の裏面は、内部上面３３から連続した曲線となっている。
【００３２】
このように構成されたセンターパネル３及びこのセンターパネル３を備えたカーナビゲーション装置４の動作を説明する。図３は、図２のＸ−Ｘ断面図であって、ディスプレイ４１が完全に正立姿勢になった状態を示している。以下では、図１に示すように、傾倒姿勢から正立姿勢に戻る方向に駆動するディスプレイ４とセンターパネル３との間に指Ｆが存在している状態から、図３に示す正立姿勢になるときの動作を説明する。
【００３３】
図１に示す状態からディスプレイ４１が正立姿勢に向かって駆動されると、ディスプレイ４１の上側のディスプレイ縁部４１２が指Ｆをセンターパネル３の上側のパネル縁部３２の裏面に押し付ける。このとき、パネル縁部３２の裏面は曲面になっており、またこの曲面を断面で見たときの任意の位置での接線方向が内部上面３３と鈍角をなしているので、ディスプレイ縁部４１２が前方に移動することによって、指Ｆはディスプレイ縁部４１２に押されてパネル縁部３２の裏面の曲面を滑って、曲面に沿って手前かつ下方向に移動させられる。
【００３４】
この結果、図１に示す指Ｆがディスプレイ４１のディスプレイ縁部４１２とパネル縁部３２との間に挟まれてディスプレイ４１の正立姿勢に向かう駆動が妨げられる（指が挟まれる）ことなく、図３に示すように、指Ｆが隙間Ａの外側に押し出される。
【００３５】
以上説明したように、本発明の実施の形態によれば、ディスプレイ４１は、センターパネル３の面に沿う正立姿勢と、下辺（第１の辺）が手前に繰り出すとともに、下辺と対向する上辺（第２の辺）が正立姿勢における下辺に向かう方向に移動するように傾倒した傾倒姿勢との間で駆動する。センターパネル３は、ディスプレイ４１の表示面を露出する開口３１を有する。この開口３１は、センターパネル３のパネル縁部３２によって形成される。パネル縁部３２は、内部上面３３よりも開口３１の内側に向けて張り出している。そして、上側のパネル縁部３２の裏面が、傾倒姿勢から正立姿勢に駆動されるディスプレイ４１のディスプレイ縁部４１２に押される指Ｆを隙間Ａの外に導く形状に形成されている。
【００３６】
よって、ディスプレイ４１が傾倒姿勢から正立姿勢に向かって駆動されて、隙間Ａが狭くなると、その隙間にある指Ｆは、パネル縁部３２の裏面を滑って、傾倒姿勢から正立姿勢に向かって駆動されるディスプレイ４１のディスプレイ縁部４１２によって隙間Ａの外に押し出されるので、正立姿勢において隙間Ａが狭くなるようにセンターパネル３が設計されていたとしても、その隙間Ａに指Ｆが挟み込まれることを軽減ないし防止できる。
【００３７】
また、図１及び図３に示す断面において、ディスプレイ４１の上側のパネル縁部３２の裏面の任意の点の接線方向と、ナビゲーション装置４を収容する空間の内部上面３３とは鈍角をなしていているので、隙間Ａにある指Ｆを好適に隙間Ａの外に押し出すことができる。
【００３８】
なお、上記の実施の形態では、本発明の傾動ディスプレイがナビゲーション装置のディスプレイであり、かつ、本発明の傾動ディスプレイ用パネルが車両のセンターパネルである例をもって本発明の実施の形態を説明したが、本発明の傾動ディスプレイ用パネルはこれに限られず、カーナビゲーション装置のディスプレイ以外の傾動可能なディスプレイの表示面を露出させるパネルであってよい。
【００３９】
また、上記の実施の形態では、上側のパネル縁部３２の裏面が、傾倒姿勢から正立姿勢に向かう方向に駆動するディスプレイ４１の上側のディスプレイ縁部４１２に押される指Ｆを隙間Ａの外に導く形状として、連続した曲面に形成されたが、パネル縁部３２の裏面の形状はこれに限られない。例えば、パネル縁部３２の裏面の形状は、開口３１の内部空間を形成する上面３３に対して、指Ｆを隙間Ａの外に導くのに十分な鈍角をなす平面であってもよい。
【００４０】
また、上記では、傾動ディスプレイとして、ディスプレイの下辺が手前に繰り出して、上辺が垂直下向きに移動することで傾倒姿勢となるディスプレイを例に本発明の実施の形態を説明したが、本発明はこれに限られない。本発明の傾動ディスプレイは、例えば上辺が手前に繰り出して下辺が垂直上向きに移動することで傾倒姿勢となるものであってもよい。この場合には、ディスプレイ４１の下辺側での指等の挟み込みを防止するために、少なくとも下側のパネル縁部３２が上記の実施の形態の上側のパネル縁部３２のように構成される。また、同様に、ディスプレイ４１の傾動は左右方向であってもよい。
【産業上の利用可能性】
【００４１】
以上のように、本発明の傾動ディスプレイ用パネルは、正立姿勢においてディスプレイの辺とそれに対応するセンターパネルのパネル縁部との間の隙間が狭くなるように傾動ディスプレイパネルが設計されていたとしても、その隙間に物体が挟み込まれることを軽減ないし防止できるという効果を有し、正立姿勢と傾倒姿勢との間で駆動される傾動ディスプレイ用のパネル等として有用である。
【符号の説明】
【００４２】
３  センターパネル
３１  開口
３２  パネル縁部
３３  内部上面
４  カーナビゲーション装置
４１  ディスプレイ
４１１  上辺
４１２  ディスプレイ縁部
【図１】
2013129216.tif 000003
【図２】
2013129216.tif 000004
【図３】
2013129216.tif 000005
【図４】
2013129216.tif 000006